(57)【要約】本発明は、加圧（Ｐ）を受ける１つの圧力媒体において影響を及ぼす１つの中空体（３）から構成される空気圧プレート要素（１）に関わる。該中空体は相互に端部で接続された２つの圧縮／張力要素（２）の間に位置し弾力性のある膜（９）で作られる。２つの支持部材（１７）の間のプレート要素（１）に架かる力（Ｆ）が横方向に荷重される時、上部圧縮／張力要素（２，７）は圧力を受け、下部圧縮／張力要素（２，８）は張力を受ける。プレストレスト張力要素（４）は該圧縮／張力要素（２，８）の間の中空体（３）のチャンネルに横断する距離を置いて位置する。該張力要素（４）は張力要素（２）を分離している中空体（３）によってプレストレスを与えられる。接続部材（６）は仮説の固定された中間支持部材として作用し圧力による歪みを防ぐために圧力を甘受し圧縮／張力要素（２，７）を安定させる。ニ次元のプレート要素（１）は特に軽量構造物の屋根の建造に使われる。
2007510076.tif 000002
【特許請求の範囲】
【請求項１】
気密構造で圧力媒体からの負荷を支えることができる弾性材料で作られた少なくとも１つの中空体（３）を備え、
圧縮力と引張力とを吸収するための該中空体（３）を囲んでいる少なくとも２つの圧縮／張力要素（２）を備え、
該各圧縮／張力要素（２）の端部において他の圧縮／張力要素（２）の端部と接続されている空気圧プレート要素（１）において、
少なくとも１つの中空体（３）が該端部によって接続された２つの圧縮／張力要素（２）の間に位置し、
圧縮／張力要素（２）が少なくとも１つの純粋な張力要素（４）を介して相互に接続され、
また該張力要素（４）が、圧力負荷のかかった少なくとも１つの該中空体（３）を介してプレストレスを与えられ得ることを特徴とする空気圧プレート要素（１）。
【請求項２】
少なくとも１つの張力要素（４）におけるプレストレスを与える力が、軸方向の圧力のかかった圧縮／張力要素（２）の歪みを阻止することを要求されている安定させる力よりも大きいことを特徴とする請求項１に記載の空気圧プレート要素（１）。
【請求項３】
常に軸方向の圧力を受ける圧縮／張力要素（２）が純粋に圧縮要素（７）として構成され、また常に軸方向の張力を受ける圧縮／張力要素（２）が純粋に張力要素（８）として構成されていることを特徴とする請求項２に記載の空気圧プレート要素（１）。
【請求項４】
プレストレスト張力要素（４）が中空体（３）を通ることを特徴とする請求項２又は請求項３のいずれかに記載の空気圧プレート要素（１）。
【請求項５】
中空体（３）を通りかつその外側の周囲も通るプレストレスト張力要素（４）を包含することを特徴とする請求項２又は請求項３のいずれかに記載の空気圧プレート要素（１）。
【請求項６】
張力要素（４）が張力要素（４）の方向において膜（９）と張力要素（４）の間を積極的に接続することなしに中空体（３）を通ることを特徴とする請求項４又は請求項５のいずれかに記載の空気圧プレート要素（１）。
【請求項７】
張力要素（４）が膜（９）に組み込まれているアイレット（１１）を通して案内され、該アイレット（１１）が張力要素（４）と同一平面上に位置する密閉部材（１２）を介して気密に密封され、また該アイレット（１１）が密閉部材（１２）と共に張力要素（４）において軸方向に変位できることを特徴とする請求項６に記載の空気圧プレート要素（１）。
【請求項８】
張力要素（４）が中空体（３）における気密構造の複数のチャンネル（５）によって案内されることを特徴とする請求項４から請求項６のいずれか一項に記載の空気圧プレート要素（１）。
【請求項９】
チャンネル（５）がチューブ（１９）によって相互に接続され、膜（９）の複数の開口部から中空体（３）を通ることができる２つの端部片（１３）により構成され、端部片（１３）が締め付けあるいは接着又は溶接によって膜（９）に取り付けられ、チューブ（１９）と共に中空体（３）を通して気密構造のチャンネル（５）を構成していることを特徴とする請求項８に記載の空気圧プレート要素（１）。
【請求項１０】
チューブ（１９）が気密に２つの端部片（１３）に固定されているホース（１４）によって構成されていることを特徴とする請求項９に記載の空気圧プレート要素（１）。
【請求項１１】
本質的に圧縮／張力要素（２）の方向において平行に配列される少なくとも２つの中空体（３）を備えることを特徴とする請求項１から請求項１０のいずれか一項に記載の空気圧プレート要素（１）。
【請求項１２】
本質的に圧縮／張力要素（２）の方向に対して相互に横向きで平行に配列される少なくとも２つの中空体（３）を備えることを特徴とする請求項１から請求項１０のいずれか一項に記載の空気圧プレート要素（１）。
【請求項１３】
プレート要素（１）が、圧縮／張力要素（２）の方向において少なくとも２つの部分に分離でき、かかる圧縮／張力要素（２）の部分的なセクションが相互に取り外し可能で堅固にかつ非積極的にコネクター（２０）を介して接続することができることを特徴とする請求項１から請求項１２のいずれか一項に記載の空気圧プレート要素（１）。
【請求項１４】
相互に平行に配列されかつ端部が相互に接続されている少なくとも２つの対の圧縮／張力要素（２）を備えることを特徴とする請求項１から請求項１３のいずれか一項に記載の空気圧プレート要素（１）。
【請求項１５】
プレート型の圧縮／張力要素（２）を備え、その断面が全長にわたって異なることを特徴とする請求項１から請求項１４のいずれか一項に記載の空気圧プレート要素（１）。
【請求項１６】
２つの圧縮／張力要素（２）の間で本質的に横方向に伸張する十字部材（１５）又は２つの圧縮／張力要素（２）の間で本質的に対角線上に伸張する風用補強部材（１６）が強化部材として設けられていることを特徴とする請求項１から請求項１５のいずれか一項に記載の空気圧プレート要素（１）。
【請求項１７】
少なくとも１つの圧縮／張力要素（２）が切り抜き部を備えたパネルとして構成されることを特徴とする請求項１から請求項１６のいずれか一項に記載の空気圧プレート要素（１）。
【請求項１８】
端部において相互に接続された複数の対の圧縮／張力要素（２）はかかる端部が１つの多角形を形成するように配列されていることを特徴とする請求項１から請求項１７のいずれか一項に記載の空気圧プレート要素（１）。
【請求項１９】
少なくとも１つの水平の中間膜が中空体（３）の内側に挿入され、中間膜が中空体（３）の絶縁特性を増加しかつ対流による垂直方向の熱伝達を減少することを特徴とする請求項１から請求項１８のいずれか一項に記載の空気圧プレート要素（１）。  
【請求項２０】
圧縮／張力要素（２）が二次元でかつ多角形の圧力／張力格子部材（２３）として構成され、かかる圧力／張力格子部材（２３）が非積極的に接合部（２２）によって繋がれているいくつかの要素部分（２１）で構成されることを特徴とする請求項１から請求項１９のいずれか一項に記載の空気圧プレート要素（１）。
【請求項２１】
１つの対の圧力／張力格子部材（２３）が少なくともすべての接合部（２２）において張力要素（４）を介してそれ自体と接続されていることを特徴とする請求項２０に記載の空気圧プレート要素（１）。
【請求項２２】
要素部分（２１）及び該接合部（２２）が中空体（３）の膜（９）に結合されていることを特徴とする請求項２０又は請求項２１のいずれかに記載の空気圧プレート要素（１）。
【請求項２３】
要素部分（２１）が複数の繊維強化弾性プラスチック条片から作られていることを特徴とする請求項２２に記載の空気圧プレート要素（１）。
【請求項２４】
プレート要素（１）が中空体（３）の膜と要素部分（２１）と共に１つの部片として折り畳まれたりあるいは巻き上げられたりできるよう構成されていることを特徴とする請求項２２又は請求項２３のいずれかに記載の空気圧プレート要素（１）。
【請求項２５】
張力ストレスを受けるだけの要素部分（２１）が純粋に張力要素として構成されることを特徴とする請求項２０から請求項２４のいずれか一項に記載の空気圧プレート要素（１）。
【請求項２６】
中空体（３）が相互に独立して圧力を負荷され得るいくつかのチャンバーに気密構造の隔壁で分割されていることを特徴とする請求項１から請求項２５のいずれか一項に記載の空気圧プレート要素（１）。
【請求項２７】
圧力／張力格子部材が異なる形態及び強度の異なる要素部分（２１）から構成されていることを特徴とする請求項２０から請求項２６のいずれか一項に記載の空気圧プレート要素（１）。
【請求項２８】
いくつかのプレート要素（１）が本質的に二次元のあるいは三次元の構造体を形成するために接合されることを特徴とする請求項１から請求項２７のいずれか一項に記載のプレート要素（１）から成る空気圧支持構造物。
【請求項２９】
より大きな二次元構造物を形成するため請求項１から請求項１９のいずれか一項に記載の組み合わせたいくつかの空気圧プレート要素（１）の使用。  
【請求項３０】
屋根としての請求項１から請求項２０のいずれか一項に記載の空気圧プレート要素（１）の使用。
【請求項３１】
橋としての請求項１から請求項２０のいずれか一項に記載の空気圧プレート要素（１）の使用。
【請求項３２】
浮遊の堅固なコンテナーとしての請求項１から請求項２０のいずれか一項に記載の空気圧プレート要素（１）の使用。
【請求項３３】
少なくとも１つの中空体（３）が液体で満たされかつ輸送あるいは保管のために１つの浮遊の堅固なコンテナーとして使用される請求項１から請求項２０のいずれか一項に記載の空気圧プレート要素（１）。
【請求項３４】
少なくとも１つの中空体（３）が空気よりも軽い気体を積みかつ浮遊あるいは半浮遊の屋根として使用される請求項１から請求項２０のいずれか一項に記載の空気圧プレート要素（１）。
【発明の詳細な説明】
【技術分野】
【０００１】
本発明は、請求項１の前文に記載した空気圧プレート要素に関する。
【背景技術】
【０００２】
空気圧の構成部材あるいは支持部材は、膨張性の中空体と、圧縮力と引張力とを吸収するための別々の要素から構成され、公知のものである。本件に最も関連した従来技術は、ＷＯ  ０１／７３４２５（Ｄ１）に述べられている。
【０００３】
かかるＤ１において、圧力の荷重を受けるこの中空体は、圧力要素を主として安定させて、圧力によるゆがみを防ぐのに役立っている。このため、圧力要素は、中空体の長さのいくつかあるいはそのすべてにおいて、圧力に対して非正の方向で、中空体の膜に取り付けられている。
【０００４】
加えて、その支持要素の高さは、中空体によって画定され、その張力と圧縮要素は、相互に別々に位置付けされている。Ｄ１に記載されているそのデザインは、非常に軽量で、しかも頑丈で、想定された荷重に持続して耐久できる能力を持った空気圧構造物を作り出すことを可能にする。しかしながら、前述の空気構成要素は、多くの欠点を有する。中空体の膜における張力は、膜と圧力要素との間の、アタッチメントの部分において、強度の断裂に関わる高い圧力を長期にわたって負荷する。更には、このアタッチメントの構造上のデザインは非常に複雑で、それ故高額である。可能な組み合わせの中空体の断面図は、本来は円に制限される。Ｄ１においてその支持要素は、本来は一次元支持構造体である。巨大な表面領域を覆う屋根の構造にとって、本来は、すなわち二次元支持構造体なのであって、付加的な屋根の膜は要求されるものであり、支持要素の上にあるいはその間に、伸長されなければならない。中空体はまた、それが覆っている該領域に関わる１つの巨大な膜表面領域を備え、（以下の公式は、円形の断面図に応用される：すなわち、円周／直径＝パイ、例えば、覆われた領域の１平方メートルあたり、およそ３．１４平方メートルの膜）再び比例して高額のコストという結果へ導く。
【発明の開示】
【発明が解決しようとする課題】
【０００５】
本発明の目的は、これらの良く知られた構造の不都合を取り除き、広い領域におけるニ次元支持構造体として組み立てられる１つの空気圧支持構造要素を提供することにある。
【課題を解決するための手段】
【０００６】
かかる目的の解決は、それらの主要特徴に関わる請求項１において特徴付けられている部分と追加的な有利な実施形態に関わる従属請求項において反映されている。
【０００７】
本発明のかかる目的は、添付図面を参照して詳細に説明される。
【発明を実施するための最良の形態】
【０００８】
図１ａ、図１ｂは、１つの空気圧プレート要素１の第一の実施形態を示している。図１ａは、ＢＢにおける空気圧プレート要素１の縦断面図を示し、図１ｂはＡＡにおける縦断面図を示している。２つの圧縮／張力要素は、圧力に対して非正の方向に、それらの端部によって相互に取り付けられ、１つの中空体３を閉じている。かかる中空体３は、弾力性のある膜９から作られていて、圧力を吸収することが可能である。低張力のストレスの負荷がかかるために、膜９は例えば非常に透明で部分的にフッ素系熱可塑性プラスティック（例えばＥＴＦＥ、エチレン−テトラフルオロエチレン）の非常に薄い箔から作られる。
【０００９】
圧縮／張力要素２は、引張力と圧縮力の両方を吸収するのに適していて、それらは例えば木材や鋼鉄から作られる。かかる２つの圧縮／張力要素２は、非正の方向に、例えば一定間隔ａにおいて、引張力を純粋に吸収することに役立つ張力要素４を経由して、相互に接続されている。これらの張力要素４は、中空体３を通り抜ける。それらは、中空体３を横切るガス不透過性チャンネル５に位置している。中空体３は、圧縮／張力要素２に取り付けられていない。空気圧プレート要素１は、圧縮／張力要素２の非正なる取り付け領域において本来１つの支持部材１７に支持されている。
【００１０】
もし中空体３が圧力を受けたとしたら、圧縮／張力要素２は引き離され、張力要素４はプレストレスを与えられる。もしプレート要素１が横断するように備えられていたら、圧縮力は中空体３上に位置する圧縮／張力要素２に負荷され、かつ引張力は中空体３を通り抜ける圧縮／張力要素２に負荷される。圧力を受ける圧縮／張力要素２は、負荷の下で潰れる傾向がある。圧縮／張力要素２とプレストレス張力要素４の間の１つのコネクター６は、圧縮／張力要素２の中間支持部材１８として作用し、また張力要素４のプレストレスの負荷に従うか、横方向に作用する力Ｆのマグニチュードに依存して、静的な条件において、圧力が負荷された圧縮／張力要素２に、１つの圧縮部材としてあるいは硬さを備えた１つの圧力プレートとして又は弾性中間支持部材１８として作用させることをもたらす。本来静的な条件における等価の環境は図２に示され、２つの支持部材１７の間の複数の硬い中間支持部材１８の上にある間隔を置いて支持されている、例えば１つの梁部材を備えている。
【００１１】
以下のテキストで簡素化の目的のために、例えば重力Ｆによって空気圧プレート要素１に片側負荷状況が想定される。従って、広く圧縮の負荷を受ける上部圧縮／張力要素２は圧縮要素７を指し示し、また、広く圧縮の負荷を受ける下部圧縮／張力要素２は張力要素８を指し示す。片側負荷状況が逆転しない場合において、常に張力を受けるこの圧縮／張力要素２は、もちろん独占的に引っ張り力の負荷をも受け得る１つの純粋な張力要素８として組み立てられている。例えば、ロープやケーブルがこれに使われる。しかしながら、屋根の場合は空気抵抗が屋根の構造物の重量を過剰にする。このように圧縮する力は下部圧縮／張力要素２においても同様に負荷を引き起こす。変動する圧縮あるいは引張力は、圧縮／張力要素２の負荷を起こし、また例えば壁として使用される場合は、プレート要素において垂直に負荷を発生させる。
【００１２】
圧縮要素７を圧力による歪みから保護することを要求される安定させる力よりも、垂直の張力要素４のプレストレスを与えられる力が更に大きい時には、接続部材６は、仮設の固定された中間の支持部材として機能する。撓みは、要求された安定させる力がプレストレスト張力要素４のプレストレスを与えられた力の限界を超えた場合にのみ、接続部材６において起こる。中空体３の加圧Ｐと、プレストレスト張力要素４の間の距離ａと、圧縮要素７の幅及び高さは、プレート要素１の画定された１つの負荷によって選択される。このように、プレストレスを与えられた力が、有意に、圧力による歪みを保護するために要求される安定させる力よりも常に大きい。このような状況において、距離ａが小さくなれば、圧縮要素７を安定させるためのプレストレスト張力要素４からプレストレスを与えられた力も小さくなる。距離ａが長くなると、この安定させるプレストレスを与えられた力もまた、より大きくなる。しかし、同時に、圧縮要素７における不安定で、支持されない長さもまたより大きくなる。このように圧縮要素７に作用する比較的小さな軸方向の圧力下においてさえも、歪みは起こり得る。安定性とその重量を考慮したプレストレスト張力要素４の最善の数量及びその分布量は、計算に基づいて基本的には個別に最適化される。
【００１３】
図３−５は、張力要素４が圧縮／張力要素２の間でピンと固定させている方法における、いくつかの異なる形態を示している。中空体３は、これらの図に示されている。図３は、張力要素４の様々な傾斜角を示しており、複数の張力要素４が１つの接続部材６を経て、同じポイントで圧縮要素７に本来固定させている。プレストレスト張力要素４の１つの配列が、１つの垂直面に左右対称で、図４に示されている。また、図５では垂直でかつ平行な面に左右対称で示されている。左右対称の面は、ダッシュ線で指示されている。
【００１４】
図６−８は、膜９とプレストレスト張力要素４の間の接続部材の詳細を解決するための様々な例証を示している。図６及び図７は、かかる接続部材が、非正に、張力要素４の軸方向に実現されているいくつかの異なった形態を示している。図６では、かかる接続部材は、接着剤止めされているか、溶接止めされている。図７では、１つの接続要素１０によって、圧縮／張力要素２を備えたプレストレスト張力要素４と接続していて、同時に、非正に、ガス不浸透化性の膜９によって壁面の開口部を密閉されている。接続要素１０は例えば押し出し成形されたＰＶＣあるいは金属製品から作られる。
【００１５】
図８は、張力要素４において移動可能な、ガス不浸透化性の膜に１つの開口部を備える１つの形態を示している。アイレット１１は、膜９に組み込まれていて、張力要素４が、膜を通るそのポイントは、１つの接着部材１２によって、気密構造により密閉されている。
【００１６】
プレストレスト張力要素４の領域における１つのプレート要素１の縦断面図が図９に示されている。これは、図１ａ，ｂにあるように、中空体３をこれらの張力要素４が通り抜けるための同様の形態である。１つのチャンネル５は、中空体３に組み込まれていて、張力要素４はチャンネル５内を通して張られている。
【００１７】
図１０は、このようなチャンネル５の１つの壁面の開口部の縦断面詳細図である。また、端部片１３は、１つの張力要素４を適合されるための１つの開口部を備えて取り付けられている。端部片１３は、割安な押し出し成形されたＰＶＣから作られる。また、気密構造により膜９を締め付けるための１つの装置によって取り付けられている。これは、膜９に接着あるいは溶接されることにより、端部片１３と接合されることも可能である。この場合において、端部片１３は、１つの膜を締め付ける装置を包含する必要がない。２つの端部片１３を覆うように配置された１つのチューブ１４は、周囲圧力が存在する１つのチャンネル５を構成している。本件技術によって誰かが殺されるならば、１つの端部片１３と、チューブ１９に取り付けられた１つの膜を締め付ける装置、例えば開口部を覆うように嵌められた１つのホース１４を用いた他の可能な配列に気付くことでしょう。１つのチューブ１８あるいは１つのホース１４によって接続されたかかる２つの端部片１３は、膜９の１つの孔を通して、中空体３に組み込まれることが可能であり、また可能なサイズであり、その内側から膜９に取り付けられる。
【００１８】
図１１−１３は、プレストレスト張力要素４を配列するための様々な代用案の断面図を示している。図１１によると、１つ以上のプレストレスト張力要素４が、中空体３を平行して通されることが可能である。プレストレスト張力要素４は、中空体３の外側においても圧縮／張力要素２へ接続するよう使われる（図１２、図１３）。もし、圧縮／張力要素２がフラットならば、それもまた考えられることであり、圧縮／張力要素２と圧縮／張力要素２の方向付けにおける間に平行して、複数のチューブ状の中空体３を配列する、これは本発明と矛盾するものではない(図１３）。
【００１９】
図１４−１７は、圧縮／張力要素２及び張力要素４が図式化され、空気圧プレート要素１の複数の可能な縦断面図を示している。図１４は、本来長方形の縦軸断面図を示していて、２つの圧縮／張力要素２は、そのほとんどの部分を相互に平行して走っている。図１５は、左右対称のレンズ状縦断面図を示しており、図１６は左右非対称のレンズ状縦断面図を示している。図１７に示されるように、アーチ型の縦断面図もまた可能である。
【００２０】
図１８は、縦断面図において、圧縮／張力要素２によって画定された中空体３の形とかかる空洞部は異なり、１つの空気圧プレート要素１の１つの実施形態を示している。また中空体３はかかる空洞部の一部分のみを占有している。
【００２１】
図１９は、図１３に示されている実施形態とは似ていないが、圧縮／張力要素２の方向を横断するように配列されている多数のチューブ状の中空体３を備えた、１つのプレート要素１を示している。
【００２２】
図２０に示されたかかるプレート要素１は、圧縮／張力要素２の方向において複数のセグメントに分割されている。かかるセグメントは、縦断面図において分離され示されている。かかる独立したセグメントは、接続するための膜２０の支援を以って、非正な撓んでいて耐性のある接続部材を用いて１つの圧縮／張力要素２を構成するよう接続されている。分離可能性は、構成要素を搬送する点からも有利性をもたらしている。一般的に、すべての圧縮／張力要素２は、前述のあるいは後述の例証にあるように、分離可能であることにより構成されることが、注目されるべきである。
【００２３】
以下の図は、空気圧プレート要素１又はその組み合わせによるいくつかの例証を示している。これらの例証は、関連出願と比較された有利性を更に明らかにする。つまり、キャリヤーは本来チューブ状でなければならない必要はなく、垂直のプレストレスト張力要素４を用いて明らかにされた構造方法は、その形における変化およびデザインの更なる自由を許容する。とりわけニ次元のプレート型のキャリアーを製作することを可能にする。
【００２４】
図２１は、一方向に伸張している圧縮／張力要素２を備える１つの空気圧プレート要素１の等角表現による斜視図である。かかる圧縮／張力要素２が対を成し、１つの圧縮／張力要素２は中空体３を覆うように伸張し、１つの圧縮／張力要素２は中空体３の下側へ伸張している。単体の中空体は、３対の圧縮／張力要素２において張力要素４のプレストレスを引き起こす。追加の線で書き加えられた圧縮／張力要素２と中空体３だけが、この斜視図に示されている。かかるプレストレスト張力要素４は、対になっている圧縮／張力要素２の間に伸張しているが、本図面にも次の図面にも示されていない。
【００２５】
図２２は、中央に向かって幅が狭くなっている断面をもった、３つの圧力プレートは、圧縮要素７として用いられている。それらの支持された端部において、かかる３つの圧力プレートは、壊れることのない、ノーカットの端部を構成している。
【００２６】
図２３において、圧縮要素７は、また、横断する圧縮部材１５及び風用補強部材１６で補強されている。更に図２４は、最後に１つの単体の大きな切り抜き部を備える、プレート型圧縮要素７を包含している別の実施形態を示している。かかる切り抜き部は、如何なるサイズも形も如何なる模様でもまた数においても、重量を減らすことに役立ち提供される。本実施形態において、圧縮／張力要素２は必ずしも対である必要がないことは明らかに示されている。１つの単体プレート型圧縮要素７は、複数の張力要素８あるいは複数の圧縮／張力要素２のそれぞれの端部において接続される。
【００２７】
図２５−２７は、２つあるいはそれ以上の方向に配列されている圧縮／張力要素２を備えた、空気圧プレート要素１の実施形態を示している。図２５では、４対の圧縮／張力要素２は、１つの八角形の表面を構成する中空体３によって満たされるよう１つの十字を形成している。この場合においては、圧縮／張力要素２は、相互に直角に交わるように配列されている。
【００２８】
図２６は、１つの六角形の図で、１つのプレート要素１の例証を示している。３対の圧縮／張力要素２は、星型に配列されている。対になっている圧縮／張力要素２の間の角度は、自由自在に選ぶことが出来る。また、圧縮／張力要素２は、複数の異なったポイントで交差することも出来る。
【００２９】
図２７は、２つの方向に配列された圧縮／張力要素２を備えた１つのプレート要素１の更なる実施形態を示している。３つの連続する十字は、それぞれ２つの対の圧縮／張力要素２から構成され、中空体３は広い長方形のプレート要素１を形成している。それぞれの圧縮要素７は、両端部において支持部材１７で支持されるべきである。屋根の場合においては、支持部材１７の機能は例えば支柱によって作用される。
【００３０】
図２８は、八角面を備えたプレート要素１が、より広く、連続する表面を形成するいくつかの方法において、どのように組み合わされるのか、鳥瞰図において示している。
【００３１】
長方形の領域構造に基づくより大きな領域構造を形成するために、プレート要素１を組み合わせるための更なるオプションが、図２９，３０に示されている。図２９は、ニ方向に配列された圧縮／張力要素２を備える６つの結合プレート要素１を備える１つの領域の等角表現による斜視図である。図３０では、圧縮／張力要素２と、四方向に配列された圧縮／張力要素２を備える２つのプレート要素１によって形成されている同一領域が、斜視図で示されている。
【００３２】
屋根の場合において、例えば、中空体３において水平に挿入される１つ又はそれ以上の膜と、位置決めされたすべての結合点において織物地による横木を使用することによって、もたらされる対流熱伝達の減少のため、プレート要素１の絶縁特性は実質的に増加している。安全目的のために、大きい中空体３は相互に気密構造で、分離されている複数のチャンバーに分割される。つまり、もし膜が破損したとしても、圧力は中空体３全体において失われず、またそのような失敗はかかる部屋の一部だけが影響を受けるに過ぎない。１００ミリバール未満の小さな圧力が要求されるために、１０メートル以上伸張された中空体３は、コンプレッサーの代わりに送風機を使って圧搾空気を積みこむことができる。
【００３３】
図３１ａ、ｂは、前述の基本的な発明の原則の更なる実施形態を示している。圧縮／張力要素２は２次元で、複数の多角形の格子部材で構成され、その格子部材はコネクター２２を介して繋がれた複数の要素部分２１から順番に構成され、１つの圧力／張力格子部材２３を形成する。２つのこのような圧力／張力格子部材２３は、１つ又はそれ以上の中空体３を封じ込め、張力要素４を介して接続される。要素部分２が接触する接合部２２において、かかる２つの圧力／張力格子部材２３は、例えばプレート要素１の端部で起こったり、あるいはプレート要素１の領域内で支持部材１７の上に接触する接合部２２において起こった場合で、異なった圧力／張力格子部材２３から要素部分２１が直接接触しないなら、少なくとも１つの張力要素４と接続される。また加えて、張力要素４は要素部分２１の長さに沿って取り付けられる。例えば、相互に接続されている４つの連続した圧縮／張力要素２の代わりに、図２５におけるかかるプレート要素は、４つの接続部２２を備えた１つの圧力／張力格子部材を形成する、１２個の要素部分２１から構成されるかもしれない。荷重のタイプに依って、接続部２２は、圧力又は引っ張り荷重あるいはそのいずれか一方を吸収し伝達する能力があるに相違ない。接続部２２は、例えば関節部を備えた付加的な接続する要素や、又は例えば硬くて溶接や接着剤で止められた非分離接続部材から構成される。
【００３４】
図３１ａは、プレート要素１の等角表現による斜視図を示している。上部圧力／張力格子部材２３は、明確に下部格子から切り離されて示され、中空体３は完全に割愛され、張力部材４の推移は、模範的な目的のために２〜３箇所の接続部のところに点線で示されている。
【００３５】
図３１ｂは、図３１ａの実施形態の平面図を示している。
【００３６】
１つの圧縮／張力要素を、複数の要素部分２１に分割する他の可能な方法は、図３２に示されている。図３２では、圧力／張力格子部材２３の端部における支持部材１７以外に、１つ又はそれ以上の付加的な支持部材１７がプレート要素１の領域の中に存在していることが考えられる。もし、付加的な支持部材１７が、圧力／張力格子部材２３の中央部に提供されるならば、中空体３は輪状の、あるいは、本来はドーナツ状で、上部下部圧力／張力格子部材２３は支持部材１７において接触するか、あるいは垂直な圧力要素を介して接続される。
【００３７】
空気圧のキャリアー構造は、複数のプレート要素１から構成され得る。圧力／張力格子部材２３を備えた１つのプレート要素１は、部分的にいくつかの二次元形態を有する。特に、複数のプレート要素１が組み合わされる時、建築家や技術者には非常に高度のデザインの自由がある。
【００３８】
圧力／張力格子部材２３のメッシュの形とサイズは、圧力の実際の推移に適合させることができる。要素部分２１は、様々な物質から構成されている。例えば、より大きな緊張が、圧力／張力格子部材２３の領域の中央部に向かうよりも、支持部材１７へ近づき、プレート要素１の端部で発生する。
【００３９】
圧力／張力格子部材２３を備えた本発明に従い、空気圧プレート要素１は、特に屋根構造における雪と風の荷重の結果発生するニ次元構造における分配される負荷に適している。
【００４０】
勿論、そのようなプレート要素１は、たくさんの他の形も採ることができ、それらは順番に、より大きな二次元構造物を成形するためのたくさんの異なる方法によって組み合わされる。図１に示されている原理の基礎において、圧縮／張力要素２は、いくつかの方向に又はすくなくとも１つの中空体３の表面を覆う数に、分配される。また１つあるいはそれ以上の中空体３もいくつかの形を有する。
【００４１】
プレート要素１が、浮動の堅いコンテナとして使用される時、中空体３は例えばガソリンや石油のような液体で満たされる。これらのコンテナは固定タンクとして使用されたりあるいはそれらの剛性のために船で牽引するのに非常に適している。
【００４２】
その一方で、もし中空体３が空気よりも軽いガスを積んだ場合、プレート要素１の重量は減少しすなわちかかる全体の構造が空中に浮かび、静的な浮力が結果として起こる。
【図面の簡単な説明】
【００４３】
【図１ａ】空気圧プレートの第一の実施形態の縦断面図。
【図１ｂ】空気圧プレートの第一の実施形態の横断面図。
【図２】梁部材の関する静的な原理を示す側面図。
【図３】プレストレスト張力要素の一つの配列例を示す側面図。
【図４】プレストレスト張力要素の別の配列例を示す側面図。
【図５】プレストレスト張力要素の別の配列例を示す側面図。
【図６】中空体の膜の中にガス不浸透性の仕方でプレストレスト張力要素を通す一つの方法の縦断面図。
【図７】中空体の膜の中にガス不浸透性の仕方でプレストレスト張力要素を通す別の方法の縦断面図。
【図８】中空体の膜の中にガス不浸透性の仕方でプレストレスト張力要素を通す別の方法の縦断面図。
【図９】中空体の中にプレストレスト張力要素を通す方法の１つの実施形態の縦断面図。
【図１０】中空体の中にプレストレスト張力要素を通す方法の別の実施形態の縦断面図。
【図１１】プレストレスト張力要素のための異なる配列例を示す横断面図。
【図１２】プレストレスト張力要素のための異なる配列例を示す横断面図。
【図１３】プレストレスト張力要素のための異なる配列例を示す横断面図。
【図１４】形状の異なる変形例におけるプレート要素の縦断面図。
【図１５】形状の異なる変形例におけるプレート要素の縦断面図。
【図１６】形状の異なる変形例におけるプレート要素の縦断面図。
【図１７】形状の異なる変形例におけるプレート要素の縦断面図。
【図１８】中空体の形態とは異なる形のプレート要素の実施形態の縦断面図。
【図１９】圧縮／張力要素の方向を横断するように整列されている複数の中空体を備えたプレート要素の実施形態の縦断面図。
【図２０】切り離された状態における分離可能なプレート要素の実施形態の縦断面図。
【図２１】切り離された状態におけるプレート要素の実施形態の縦断面図。
【図２２】可変断面を備える複数の圧力プレートの実施形態の概略斜視図。
【図２３】圧力要素を横切る複数の補強部材を備える実施形態の概略斜視図。
【図２４】広い切り抜き部を持った１つの単体の圧力プレートを備える実施形態の概略斜視図。
【図２５】二方向に配列された圧縮／張力要素を持ったプレート要素の実施形態の概略斜視図。
【図２６】圧縮／張力要素の多角形の配列を持ったプレート要素の実施形態の概略斜視図。
【図２７】プレート要素で構成される屋根の実施形態の概略斜視図。
【図２８】複数の多角形のプレート要素の鳥瞰図。
【図２９】複数の長方形のプレート要素の組み合わせを示す概略斜視図。
【図３０】２つの長方形のプレート要素の概略斜視図。
【図３１ａ】圧縮／張力格子部材を備えたプレート要素の実施形態の概略分解斜視図。
【図３１ｂ】圧縮／張力格子部材を備えたプレート要素の実施形態の概略分解平面図。
【図３２】圧縮／張力格子部材を備えたプレート要素の第二の実施形態の平面図。
【図１ａ】
2007510076.tif 000003
【図１ｂ】
2007510076.tif 000004
【図２】
2007510076.tif 000005
【図３】
2007510076.tif 000006
【図４】
2007510076.tif 000007
【図５】
2007510076.tif 000008
【図６】
2007510076.tif 000009
【図７】
2007510076.tif 000010
【図８】
2007510076.tif 000011
【図９】
2007510076.tif 000012
【図１０】
2007510076.tif 000013
【図１１】
2007510076.tif 000014
【図１２】
2007510076.tif 000015
【図１３】
2007510076.tif 000016
【図１４】
2007510076.tif 000017
【図１５】
2007510076.tif 000018
【図１６】
2007510076.tif 000019
【図１７】
2007510076.tif 000020
【図１８】
2007510076.tif 000021
【図１９】
2007510076.tif 000022
【図２０】
2007510076.tif 000023
【図２１】
2007510076.tif 000024
【図２２】
2007510076.tif 000025
【図２３】
2007510076.tif 000026
【図２４】
2007510076.tif 000027
【図２５】
2007510076.tif 000028
【図２６】
2007510076.tif 000029
【図２７】
2007510076.tif 000030
【図２８】
2007510076.tif 000031
【図２９】
2007510076.tif 000032
【図３０】
2007510076.tif 000033
【図３１ａ】
2007510076.tif 000034
【図３１ｂ】
2007510076.tif 000035
【図３２】
2007510076.tif 000036
【国際調査報告】
2007510076.tif 000037
2007510076.tif 000038
2007510076.tif 000039
2007510076.tif 000040